(57)【特許請求の範囲】
【請求項１】
遊技玉の入賞により可動羽根が開放し、該可動羽根が開放している状態において前記遊技玉が入賞すると前記可動羽根が閉じる、左右に開閉自在な可動羽根を備えた遊技機の普通電動役物において、
前記左右の可動羽根の間に２個の遊技玉が並び、該２個の遊技玉の上に１個の遊技玉が乗った状態において、前記上の１個の遊技玉が流入口内に落下流入するよう前記流入口の上部に切欠を形成し、
前記切欠が、奥になるにしたがって低くなるように傾斜していることを特徴とする遊技機の普通電動役物。
【発明の詳細な説明】
【０００１】
【発明の属する技術分野】
本発明は、遊技盤に設けられた普通電動役物に関し、特に普通電動役物の流入口の形状を改良し、遊技玉の詰まりを防止した普通電動役物に関する。
【０００２】
【従来の技術】
パチンコ機等の遊技盤の前面には、図３に示すように釘３４や各種の役物類が取り付けられており、中央下部には左右に開閉する可動羽根を備えた普通電動役物が取り付けられている。
【０００３】
従来の普通電動役物を図１０に示す。図１０に示すように、普通電動役物１２は、２つの三角形状の可動羽根４を左右にそれぞれ開閉自在に備え、裏側には、図８に示すように可動羽根４を開閉させる駆動機構２０と、流入口１４を通ってきた遊技玉７を計測する遊技玉の感知機構２２が設けられている。
【０００４】
又可動羽根４の上部には門型の保護部材８が設けてあり、両可動羽根４の間には遊技盤３０の裏側に通じる流入口１４が開口してある。
【０００５】
普通電動役物１２の可動羽根４は通常閉じており、保護部材８を通って遊技玉７が普通電動役物１２に入賞すると、所定の数の遊技玉が払い出されるとともに可動羽根４が開かれる。そして可動羽根４が開いている状態で遊技玉７が普通電動役物１２に入賞すると、開いていた可動羽根４が駆動機構２０によって閉じる構造になっている。
【０００６】
すなわち普通電動役物１２は、可動羽根４が閉じられているときは、保護部材８を通過してきた上方からのみ遊技玉７の流入が可能となっており、保護部材８を通して遊技玉７が普通電動役物１２に流入すると、所定数の遊技玉７の払い出しとともに可動羽根４が左右に開放し、上方からの遊技玉７の入賞に加え普通電動役物１２の左右のいずれの方向からも遊技玉７の流入を可能として入賞し易くしている。
【０００７】
【発明が解決しようとする課題】
このように普通電動役物１２は、可動羽根４が閉じていると上方からしか遊技玉７が流入しないが、可動羽根４が開放されると、上方からの流入とともに左右方向からも遊技玉７が流入する。したがって、遊技玉７が連続して落下すると、図７に示すように可動羽根４が開放している普通電動役物１２に三方から３個の遊技玉７が同時に入賞することがある。
【０００８】
このように３個の遊技玉７が同時に普通電動役物１２に入賞すると、図９に示すように左右の可動羽根４の間に２個の遊技玉７が並び、それら２個の遊技玉７の上に１個の遊技玉７が乗ることがある。このとき図８に示すように下の遊技玉７が遊技盤３０の表側に位置し、上の１個の遊技玉７が遊技盤３０側に配置されると、上の遊技玉７が下の遊技玉７に乗った状態で流入口１４の上縁に接し、流入口１４の内部に落下しなくなることがある。
【０００９】
そして下側の遊技玉７は、上に乗った遊技玉７の重さで表側に押し付けられ、かつ左右方向から可動羽根４で挟まれた状態となり、３個の遊技玉が三角形状に配置されたまま移動できなくなり、玉詰まりを発生させることがあった。
【００１０】
又、普通電動役物１２は、直上に保護部材８が設けられ、その支持脚９が流入口１４のすぐ上方に固定されているため、数個の遊技玉７を通過させる程流入口１４の面積を拡張させることはできなかった。
【００１１】
【課題を解決するための手段】
本発明では、上記課題を解決するため、普通電動役物を次のように構成した。すなわち、普通電動役物の遊技盤内部に通じる流入口の上部に切欠を形成した。切欠は、可動羽根の間で３個の遊技玉が三角形状に配置されたとき、上部に位置した遊技玉が流入口の内部に落下するように、言い換えれば下部に遊技玉が存在しても、それら遊技玉に乗った状態で流入口の上端部に遊技玉が引っかかることなく落下する形状に形成する。
【００１２】
具体的には、流入口の上部に保護部材の支持脚の幅以内で、しかも上の遊技玉が落下できる四角形の切欠を形成した。尚、切欠の断面形状は四角形に限らず、半円型、アーチ型、三角形型等他の形状でもよい。
【００１３】
これにより、３個の遊技玉が三角形状に重なった場合であっても上に位置する遊技玉が流入口の上縁にかからず、内部に落下するので、普通電動役物において玉詰まりを発生させることがない。
【００１４】
【発明の実施の形態】
次に、本発明にかかる普通電動役物の一実施形態について図を用いて説明する。
【００１５】
図３にパチンコ機の遊技盤を示す。遊技盤３０は、ガラス板３２の背後に位置し、表面に多数の釘３４、風車３５、普通電動役物２、入賞口３８、液晶表示装置３９等が設けられ、釘３４等により遊技玉の落下通路が形成されている。又遊技盤３０の右下部には、玉打ち出し用のハンドル４０が取り付けてあり、ハンドル４０を操作することにより、遊技盤３０に遊技玉が打ち出され、釘３４等に当たりながら落下する。
【００１６】
次に、普通電動役物２について説明する。普通電動役物２は、遊技盤３０の中央下部に設置してあり、図１に示すように、本体部３と、本体部３に回動自在に取り付けられた２個の可動羽根４と、門型の保護部材８と、表裏に連通した流入口１０と、可動羽根４を作動する駆動機構２０と、遊技玉７の通過を検出する感知機構２２（いずれも図２参照）等から構成されている。
【００１７】
本体部３は、合成樹脂からなる基台であり、流入口１０や可動羽根４を支持する支持部（図示せず）、遊技盤３０に固定するための爪（図示せず）等が予め一体に成形されている。
【００１８】
保護部材８は、２本の支持脚９を両側に有する門型で、流入口１０の真上に取り付けられている。可動羽根４は、概ね三角形状で本体部３に回動自在に取り付けてあり、本体部３の裏側に設けられた駆動機構２０から延びる作動腕（図示せず）によって左右方向へ任意に開閉動作を行なう。
【００１９】
駆動機構２０は、制御部（図示せず）の指示により作動し、作動腕をソレノイド等によって駆動して可動羽根４を開閉する。感知機構２２は、電磁作用等によって遊技玉７の通過を感知する機構であり、駆動機構２０の下部に設置され、流入口１０内に流入した遊技玉が感知通路２３を必ず通過するように設定してある。
【００２０】
流入口１０は、図１に示すように従来と同様の形状の流入口の上部に切欠５が形成してある。切欠５は、断面が四角形で、図２に示すように奥になるに従って低くなるよう傾斜している。尚、傾斜は必ずしも必要ではない。
【００２１】
次に、普通電動役物２の作用について説明する。
【００２２】
普通電動役物２の可動羽根４は通常閉じられており、保護部材８を通って遊技玉７が可動羽根４の間に入ると、流入口１０を通過して遊技盤３０の内側に移動し、感知機構２２の感知通路２３を通って回収通路（図示せず）に回収される。その際遊技玉７が普通電動役物２に入賞したことが感知機構２２で感知されるので、通過信号が制御部に送られると、制御部から駆動機構２０に作動信号が送られ、ソレノイドが作動して可動羽根４が開放される。図１及び図３に可動羽根４が開放された状態の普通電動役物２を示す。
【００２３】
この状態で、遊技玉７が連続して入賞したとする。まず最初に入賞した遊技玉７が流入口１０を通過して感知機構２２を通過すると、感知機構２２から送り出された通過信号によって駆動機構２０が作動し、可動羽根４が閉じられる。そして可動羽根４が閉じられる瞬間に三方、すなわち保護部材８を通った上方からの遊技玉７と、開いた左右の可動羽根４のそれぞれの三方から３個の遊技玉７がほぼ同時に普通電動役物２に流入し、閉じようとする可動羽根４によって図９に示すように３個の遊技玉７が三角形状に配置されたとする。
【００２４】
図２にかかる状態の側面を示す。すなわち、下部に２個の遊技玉７が遊技盤３０の表側に位置し、それら２個の遊技玉７の上に遊技玉７が１個遊技盤３０側に位置して乗っている。ところが、流入口１０の上部には切欠５が形成してあることから上縁にはかからず、上に乗っている遊技玉７は切欠５を介して図４に示すように流入口１０の内部に落下し、感知機構２２を通過して流下する。上側の遊技玉７が落下すると、下側の遊技玉７も流入口１０側に流れ、各々流入口１０内に落下する。
【００２５】
したがって、普通電動役物２に同時に３個の遊技玉７が入賞した場合でも、常に遊技玉７を流入口１０に通すことができ、玉詰まりを生じさせることはない。
【００２６】
なお、切欠５の形状は四角形に限らず図５に示すように半円形や、図６に示すように三角形状であっても、それによって遊技玉７が流入口１０の内部に落下すればよい。
【００２７】
又、普通電動役物に限らず、遊技玉の回収通路の流入出口等、遊技玉が同時に流入出しようとして、互いに接触して玉詰まりを発生するような箇所に用いることができる。
【００２８】
【発明の効果】
本発明の普通電動役物によれば、流入口の上部に切欠を形成し、３個の遊技玉が同時に入賞して三角形状に重なった場合に、切欠を介して上に位置する遊技玉が流入口内に落下するようにしたので、連続して遊技玉が入賞しても順次遊技玉を流入口内を落下させることができ、玉詰まりを発生させることがない。
【図面の簡単な説明】
【図１】本発明にかかる普通電動役物の一例を示す斜視図である。
【図２】図１に示す普通電動役物を示す断面図である。
【図３】遊技盤を示す正面図である。
【図４】図１に示す普通電動役物を示す断面図である。
【図５】普通電動役物の他の例を示す正面図である。
【図６】普通電動役物の他の例を示す正面図である。
【図７】従来の普通電動役物の例を示す斜視図である。
【図８】図７に示す普通電動役物を示す断面図である。
【図９】図７に示す普通電動役物を示す正面図である。
【図１０】従来の普通電動役物の例を示す斜視図である。
【符号の説明】
２  普通電動役物
３  本体部
４  可動羽根
５  切欠
７ 遊技玉
８  保護部材
１０  流入口
２０  駆動機構
２２  感知機構
２３  感知通路
３０  遊技盤
３２  ガラス板
３４  釘
３６  風車
３８  入賞口
４０  ハンドル
【図１】
0003802215.tif 000002
【図２】
0003802215.tif 000003
【図３】
0003802215.tif 000004
【図４】
0003802215.tif 000005
【図５】
0003802215.tif 000006
【図６】
0003802215.tif 000007
【図７】
0003802215.tif 000008
【図８】
0003802215.tif 000009
【図９】
0003802215.tif 000010
【図１０】
0003802215.tif 000011